(57)【要約】  【目的】  比較的簡単に電子メールの内容をプリントする。  【構成】  送信側携帯電話１において電子メール・ファイルが生成される。電子メールを作成するときに，送信側携帯電話１のユーザによって文字が入力され，その文字を表すテキスト・データが電子メール・ファイルに記述される。また，電子メールの本文領域が表示される場合に，その本文領域に含まれている文字を含めて，本文領域内の画像を一駒の画像によって表す本文領域画像ファイルが生成される。生成された本文領域画像ファイルが電子メール・ファイルに格納されて送信側携帯電話１から受信側携帯電話１Ａに送信される。電子メール・ファイルが受信側携帯電話１Ａにおいて受信されると，テキスト・データによって表される文字が含まれている電子メールが表示される。本文領域画像ファイルが受信側携帯電話１Ａからプリンタ21に送信されることにより，本文領域の画像がプリンタ21においてプリントされる。  【選択図】  図１
2007034760.tif 000002
【特許請求の範囲】
【請求項１】
文字を入力する文字入力手段，
上記文字入力手段から入力された文字が記述された電子メールの本文領域を表示する表示装置，
上記電子メールの本文領域に表示されている画像であって，一駒の画像を表す本文領域画像データを生成する本文領域画像データ生成手段，
上記文字入力手段から入力された文字を表すテキスト・データを含む電子メールを生成する電子メール生成手段，および
上記電子メール生成手段によって生成された電子メールと上記本文領域画像データ生成手段によって生成された本文領域画像データとを電子メールの受信側携帯電話に送信する送信手段，
を備えた携帯電話。
【請求項２】
上記電子メールの本文領域に表示する挿入画像を指定する挿入画像指定手段をさらに備え，
上記表示装置は，上記挿入画像指定手段によって指定された挿入画像を上記文字入力手段から入力された文字が記述された電子メールの本文領域に表示するものであり，
上記電子メール生成手段は，上記文字入力手段から入力された文字を表すテキスト・データを含み，かつ上記挿入画像指定手段によって指定された挿入画像を表す挿入画像データが添付される電子メールを生成するものである，
請求項１に記載の携帯電話。
【請求項３】
上記電子メールの本文領域に表示する動画を指定する動画指定手段をさらに備え，
上記表示装置は，上記動画指定手段によって指定された動画を，上記文字入力手段から入力された文字が記述された電子メールの本文領域に表示するものであり，
上記本文領域画像データ生成手段は，上記動画指定手段によって指定された動画の代表画像が上記電子メールの本文領域に表示されている画像であって，一駒の画像を表す本文領域画像データを生成するものであり，
上記電子メール生成手段は，上記文字入力手段から入力された文字を表すテキスト・データを含み，かつ上記動画指定手段によって指定された動画を表す動画データが添付される電子メールを生成するものである，
請求項１に記載の携帯電話。
【請求項４】
電子メールの送信側携帯電話から送信される電子メールであって，電子メールの本文領域に表示されるべき文字を表すテキスト・データを含む電子メールを受信する電子メール受信手段，
上記電子メール受信手段によって受信した電子メールに含まれるテキスト・データによって表される文字が電子メールの本文領域に表示された場合における上記本文領域内の画像であって，一駒の画像を表す本文領域画像データを生成する本文領域画像データ生成手段，および
上記電子メール受信手段によって受信した電子メールと上記本文領域画像データ生成手段によって生成された本文領域画像データとを電子メールの受信側携帯電話に送信する送信手段，
を備えたメール・サーバ。
【請求項５】
上記送信手段が，
電子メールの受信側携帯電話からの要求に応じて上記本文領域画像データ生成手段によって生成された本文領域画像データを電子メールの受信側携帯電話に送信するものである，
請求項４に記載のメール・サーバ。
【請求項６】
文字を表すテキスト・データを含む電子メールおよび上記電子メールの本文領域内の画像を一駒の画像として表す本文領域画像データをそれぞれ受信する受信手段，
上記受信手段によって受信した電子メールに含まれるテキスト・データによって表される文字を電子メールの本文領域に表示する表示装置，ならびに
上記受信手段によって受信した本文領域画像データをプリンタに送信する画像データ送信手段，
を備えた携帯電話。
【請求項７】
上記受信手段が，上記電子メール，および上記本文領域画像データのほかに上記電子メールの本文領域内に挿入画像が含まれている場合に，上記電子メールに添付され，その挿入画像を表す挿入画像データを受信するものであり，
上記表示装置は，上記受信手段によって受信された電子メールに含まれるテキスト・データによって表される文字および上記挿入画像データによって表される挿入画像を電子メールの本文領域に表示するものである，
請求項６に記載の携帯電話。
【請求項８】
上記受信手段が，
上記電子メールの本文領域に動画が表示される場合に，上記電子メールに添付され，その動画を表す動画データ，および上記動画の代表画像が含まれている上記電子メールの本文領域内の画像を表す本文領域画像データを受信するものであり，
上記表示装置は，
上記受信手段によって受信した電子メールに含まれるテキスト・データによって表される文字および上記動画データによって表される動画を電子メールの本文領域に表示するものである，
請求項６に記載の携帯電話。
【請求項９】
文字を入力し，
入力された文字が記述された電子メールの本文領域を表示し，
上記電子メールの本文領域に表示されている画像であって，一駒の画像を表す本文領域画像データを生成し，
入力された文字を表すテキスト・データを含む電子メールを生成し，
生成された電子メールと生成された本文領域画像データとを電子メールの受信側携帯電話に送信する，
携帯電話の制御方法。
【請求項１０】
電子メールの送信側携帯電話から送信される電子メールであって，電子メールの本文領域に表示されるべき文字を表すテキスト・データを含む電子メールを受信し，
受信した電子メールに含まれるテキスト・データによって表される文字が電子メールの本文領域に表示された場合における上記本文領域内の画像であって，一駒の画像を表す本文領域画像データを生成し，
受信した電子メールと生成された本文領域画像データとを電子メールの受信側携帯電話に送信する，
メール・サーバの制御方法。
【請求項１１】
文字を表すテキスト・データを含む電子メールおよび上記電子メールの本文領域内の画像を一駒の画像として表す画像データをそれぞれ受信し，
受信した電子メールに含まれるテキスト・データによって表される文字を電子メールの本文領域に表示し，
受信した画像データをプリンタに送信する，
携帯電話の制御方法。
【請求項１２】
文字を入力させ，
入力された文字が記述された電子メールの本文領域を表示させ，
上記電子メールの本文領域に表示されている画像であって，一駒の画像を表す本文領域画像データを生成させ，
入力された文字を表すテキスト・データを含む電子メールを生成させ，
生成された電子メールと生成された本文領域画像データとを電子メールの受信側携帯電話に送信させるように携帯電話を制御するプログラム。
【請求項１３】
電子メールの送信側携帯電話から送信される電子メールであって，電子メールの本文領域に表示されるべき文字を表すテキスト・データを含む電子メールを受信させ，
受信した電子メールに含まれるテキスト・データによって表される文字が電子メールの本文領域に表示された場合における上記本文領域内の画像であって，一駒の画像を表す本文領域画像データを生成させ，
受信した電子メールと生成された本文領域画像データとを電子メールの受信側携帯電話に送信させるようにメール・サーバを制御するプログラム。
【請求項１４】
文字を表すテキスト・データを含む電子メールおよび上記電子メールの本文領域内の画像を一駒の画像として表す本文領域画像データをそれぞれ受信させ，
受信した電子メールに含まれるテキスト・データによって表される文字を電子メールの本文領域に表示させ，
受信した本文領域画像データをプリンタに送信させるように携帯電話を制御するプログラム。
【発明の詳細な説明】
【技術分野】
【０００１】
この発明は，携帯電話およびメール・サーバならびにそれらの制御方法およびそれらの制御プログラムに関する。
【背景技術】
【０００２】
携帯電話を用いて画像データの送受信，電子メールの送受信ができるようになってから，様々な利用方法が提案されている。たとえば，消費電力を抑えつつ携帯電話向けの画像を出力するもの（特許文献１），カメラ付き携帯電話を用いて撮像することにより得られた大容量画像を保管等するもの（特許文献２），電子メールの発信者の感情を視覚的に表示するもの（特許文献３）などがある。
【特許文献１】特開2002-149370号公報
【特許文献２】特開2004-229177号公報
【特許文献３】特開2000-207304号公報
【０００３】
これらのように，携帯電話においてはまだまだ工夫の余地がある。
【発明の開示】
【０００４】
この発明は，受信した電子メールの内容を比較的簡単にプリントすることを目的とする。
【０００５】
第１の発明による携帯電話は，文字を入力する文字入力手段，上記文字入力手段から入力された文字が記述された電子メールの本文領域を表示する表示装置，上記電子メールの本文領域に表示されている画像であって，一駒の画像を表す本文領域画像データを生成する本文領域画像データ生成手段，上記文字入力手段から入力された文字を表すテキスト・データを含む電子メールを生成する電子メール生成手段，および上記電子メール生成手段によって生成された電子メールと上記本文領域画像データ生成手段によって生成された本文領域画像データとを電子メールの受信側携帯電話に送信する送信手段を備えていることを特徴とする。
【０００６】
第１の発明は，上述の携帯電話に適した制御方法も提供している。すなわち，この方法は，文字を入力し，入力された文字が記述された電子メールの本文領域を表示し，上記電子メールの本文領域に表示されている画像であって，一駒の画像を表す本文領域画像データを生成し，入力された文字を表すテキスト・データを含む電子メールを生成し，生成された電子メールと生成された本文領域画像データとを電子メールの受信側携帯電話に送信するものである。
【０００７】
第１の発明は，上記携帯電話の制御方法を実現するためのプログラムも提供している。
【０００８】
第１の発明によると，文字が入力され，入力された文字が電子メールの本文領域に表示される。表示された電子メールの本文領域内の画像を，一駒の画像として表す本文領域画像データが生成される。また，入力された文字を表すテキスト・データを含む電子メールが生成される。生成された電子メールと生成された本文領域画像データとが受信側携帯電話に送信される。
【０００９】
第１の発明によると，電子メールのほかに，電子メールの本文領域内の画像を，一駒の画像を表す本文領域画像データが生成される。電子メールと本文領域画像データとが受信側携帯電話に送信される。受信側携帯電話において，電子メールが受信されると，受信側携帯電話の表示装置の表示画面には電子メールの本文領域に記述された文字を表示することができる。この文字は，電子メールに含まれるテキスト・データによって表される文字である。本文領域画像データが受信側携帯電話において受信されると，この本文領域画像データをプリンタに送信することにより，本文領域内の画像をプリントできる。本文領域内に記述された文字を画像としてプリントできるようになる。
【００１０】
上記電子メールの本文領域に表示する挿入画像を指定する挿入画像指定手段をさらに備えてもよい。この場合，上記表示装置は，上記挿入画像指定手段によって指定された挿入画像を上記文字入力手段から入力された文字が記述された電子メールの本文領域に表示するものとなろう。また，上記電子メール生成手段は，上記文字入力手段から入力された文字を表すテキスト・データを含み，かつ上記挿入画像指定手段によって指定された挿入画像を表す挿入画像データが添付される電子メールを生成するものとなろう。
【００１１】
本文領域には挿入画像指定手段によって指定された画像が挿入されているので，本文領域内の画像を一駒の画像として生成された画像データによって表される画像には，文字が画像として表されているだけでなく，挿入画像も含まれている。挿入画像が含まれている，本文領域内の画像を表す画像データ等が受信側携帯電話に送信される。
【００１２】
上記電子メールの本文領域に表示する動画を指定する動画指定手段をさらに備えてもよい。この場合，上記表示装置は，上記動画指定手段によって指定された動画を，上記文字入力手段から入力された文字が記述された電子メールの本文領域に表示するものとなろう。また，上記本文領域画像データ生成手段は，上記動画指定手段によって指定された動画の代表画像が，上記電子メールの本文領域に表示されている画像であって，一駒の画像を表す本文領域画像データを生成するものとなろう。さらに，上記電子メール生成手段は，上記文字入力手段から入力された文字を表すテキスト・データを含み，かつ上記動画指定手段によって指定された動画を表す動画データが添付される電子メールを生成するものとなろう。
【００１３】
本文領域には指定された動画の代表画像が挿入されているので，本文領域内の画像を一駒の画像として生成された本文領域画像データによって表される本文領域画像には，文字が画像として表されているだけでなく，動画の代表画像も含まれている。動画を表示できない携帯電話（受信側携帯電話）であっても代表画像を見ることができ，代表画像が含まれている本文領域の画像をプリントできる。
【００１４】
第２の発明によるメール・サーバは，電子メールの送信側携帯電話から送信される電子メールであって，電子メールの本文領域に表示されるべき文字を表すテキスト・データを含む電子メールを受信する電子メール受信手段，上記電子メール受信手段によって受信した電子メールに含まれるテキスト・データによって表される文字が電子メールの本文領域に表示された場合における上記本文領域内の画像であって，一駒の画像を表す本文領域画像データを生成する本文領域画像データ生成手段，および上記電子メール受信手段によって受信した電子メールと上記本文領域画像データ生成手段によって生成された本文領域画像データとを電子メールの受信側携帯電話に送信する送信手段を備えていることを特徴とする。
【００１５】
第２の発明は，上記メール・サーバに適した制御方法も提供している。すなわち，この方法は，電子メールの送信側携帯電話から送信される電子メールであって，電子メールの本文領域に表示されるべき文字を表すテキスト・データを含む電子メールを受信し，受信した電子メールに含まれるテキスト・データによって表される文字が電子メールの本文領域に表示された場合における上記本文領域内の画像であって，一駒の画像を表す本文領域画像データを生成し，受信した電子メールと生成された本文領域画像データとを電子メールの受信側携帯電話に送信するものである。
【００１６】
第２の発明は，上記メール・サーバの制御方法を実現するためのプログラムも提供している。
【００１７】
第２の発明によると，送信側携帯電話から文字を表すテキスト・データを含む電子メールが送信され，メール・サーバにおいて受信される。すると，テキスト・データによって表される文字が電子メールの本文領域に表示された場合における本文領域内の画像であって，一駒の画像を表す本文領域画像データが生成される。受信した電子メールと生成された本文領域画像データとが受信側携帯電話に送信される。
【００１８】
受信側携帯電話において，電子メールが受信されると，受信側携帯電話の表示装置の表示画面には電子メールの本文領域に記述された文字を表示することができる。この文字は，電子メールに含まれるテキスト・データによって表される文字である。電子メールの本文領域内の画像を表す本文領域画像データも受信側携帯電話において受信され，この本文領域画像データをプリンタに送信することにより，本文領域内の画像をプリントできる。本文領域内に記述された文字を画像としてプリントできるようになる。
【００１９】
第３の発明による携帯電話は，受信側携帯電話である。すなわち，第３の発明は，文字を表すテキスト・データを含む電子メールおよび上記電子メールの本文領域内の画像を一駒の画像として表す本文領域画像データをそれぞれ受信する受信手段，上記受信手段によって受信した電子メールに含まれるテキスト・データによって表される文字を電子メールの本文領域に表示する表示装置，ならびに上記受信手段によって受信した本文領域画像データをプリンタに送信する画像データ送信手段を備えていることを特徴とする。
【００２０】
第３の発明は，上記携帯電話に適した制御方法も提供している。すなわち，この方法は，文字を表すテキスト・データを含む電子メールおよび上記電子メールの本文領域内の画像を一駒の画像として表す本文領域画像データをそれぞれ受信し，受信した電子メールに含まれるテキスト・データによって表される文字を電子メールの本文領域に表示し，受信した本文領域画像データをプリンタに送信するものである。
【００２１】
第３の発明は，上記携帯電話の制御方法を実現するためのプログラムも提供している。
【００２２】
第３の発明によると，文字を表すテキスト・データを含む電子メールおよび電子メールの本文領域内の画像を一駒の画像として表す本文領域画像データが送信側携帯電話またはメール・サーバから送信される。それらの電子メールおよび本文領域画像データが受信される。受信した電子メールに含まれるテキスト・データによって表される文字が電子メールの本文領域に表示される。受信した本文領域画像データは，プリンタに送信される。本文領域内の文字が画像として表された画像がプリントされるようになる。
【００２３】
上記受信手段は，上記電子メール，および上記本文領域画像データのほかに上記電子メールの本文領域内の挿入画像が含まれている場合に，上記電子メールに添付され，その挿入画像を表す挿入画像データを受信するものでもよい。この場合，上記表示装置は，上記受信手段によって受信された電子メールに含まれるテキスト・データによって表される文字および上記挿入画像データによって表される挿入画像を電子メールの本文領域に表示するものとなろう。挿入画像が含まれている本文領域をプリントできるようになる。
【００２４】
上記受信手段は，上記電子メールの本文領域に動画が表示される場合に，上記電子メールに添付され，その動画を表す動画データ，および上記動画の代表画像が含まれている上記電子メールの本文領域内の画像を表す本文領域画像データを受信するものでもよい。この場合，  上記表示装置は，上記受信手段によって受信した電子メールに含まれるテキスト・データによって表される文字および上記動画データによって表される動画を電子メールの本文領域に表示するものとなろう。動画の代表画像が含まれている本文領域をプリントできるようになる。
【実施例】
【００２５】
図１は，この発明の実施例を示すもので，電子メール・システムの概要を示している。
【００２６】
電子メール・システムにおいては，送信側携帯電話１，メール・サーバ20および受信側携帯電話１Ａがネットワークを介して互いに通信可能とされている。また，受信側携帯電話１Ａは，プリンタ21に画像データを送信できる。受信側携帯電話１Ａからプリンタ21に画像データが送信されることにより，その画像データによって表される画像がプリンタ21によってプリントされる。
【００２７】
送信側携帯電話１から受信側携帯電話１Ａに電子メールが送信される場合には，送信側携帯電話１から送信された電子メールは，メール・サーバ20に与えられる。メール・サーバ20に与えられた電子メールが，メール・サーバ20から受信側携帯電話１Ａに送信される。
【００２８】
メール・サーバ20は，ＣＰＵ，メモリ，入力装置，表示装置などを備えているのはいうまでもない。
【００２９】
図２は，送信側携帯電話１の外観を示している。
【００３０】
送信側携帯電話１の上部にはアンテナ２が設けられている。
【００３１】
送信側携帯電話１の前面の上部にはスピーカ３が設けられている。このスピーカ３の下には，表示画面４が形成されている。表示画面４の下には，電話帳ボタン５，設定ボタン６およびメニュー・ボタン７が設けられている。これらのボタン５，６および７の下には，四方に矢印が押下可能に形成されている矢印ボタン８が設けられている。矢印ボタン８の中央には，確定ボタン９が設けられている。矢印ボタン８の下には発呼ボタン10，クリア・ボタン11および切断ボタン12が設けられている。これらのボタン10，11および12の下には数字キーを含むテン・キーパッド13が設けられている。送信側携帯電話１の前面の最下部にはマイクロフォン14が設けられている。
【００３２】
詳しくは，後述するように，この実施例による送信側携帯電話１においては電子メールを送信できる。電子メールを作成する場合に，その電子メールの受信側携帯電話の電子メール・アドレス15および電子メールの送信側携帯電話の電子メール・アドレス16が表示画面４の上部に表示される。また，電子メールの本文領域17も表示画面４に表示される。図２に示す例では，本文領域17には，送信側携帯電話１のユーザによって入力された文字18およびアニメＧＩＦ（動画）19が表示されている。
【００３３】
図３は，送信側携帯電話１の電気的構成を示すブロック図である。この図において，図２に示すものと同一物には，同一符号を付して説明を省略する。受信側携帯電話１Ａの構成も送信側携帯電話１の構成と同様である。
【００３４】
送信側携帯電話１の全体の動作は，ＣＰＵ30によって統括される。ＣＰＵ30には，メモリ35が接続されている。このメモリ35に，後述する動作を制御するプログラムその他のデータが格納されている。また，上述したように，各種ボタン５〜12およびテン・キーパッド13などのキーパッド36からの操作信号は，ＣＰＵ30に入力する。
【００３５】
マイクロフォン14に入力した音声は，アナログ音声信号に変換されて音声制御回路33に入力する。音声制御回路33にいて，アナログ音声信号からディジタル音声データに変換される。ディジタル音声データは，ＣＰＵ30および通信制御回路34を介してアンテナ２によって通話相手の携帯電話に送信される。通話相手の携帯電話から送信された音声データは，アンテナ２によって受信され，通信制御回路34およびＣＰＵ30を介して音声制御回路33に与えられる。音声制御回路33において音声データが音声信号に変換される。音声信号がスピーカ３に与えられることにより，スピーカ３から音声が出力される。
【００３６】
送信側携帯電話１は，画像データの送受信を行うこともできる。送信された画像データは，アンテナ２によって受信される。受信した画像データは，通信制御回路34およびＣＰＵ30を介してメモリ35に与えられ，一時的に記憶される。画像データはメモリ35から読み取られ，ＣＰＵ30を介して表示制御回路32に与えられる。表示制御回路32によって表示装置31が制御されることにより，表示装置31の表示画面に受信した画像データによって表される画像が表示される。メモリ35に画像データが記憶されている場合には，画像データが読み出され，ＣＰＵ30および通信制御回路34を介してアンテナ２から外部に送信される。
【００３７】
さらに，携帯電話１においても，プリンタと通信するための赤外線通信回路37が設けられている。赤外線通信回路37からがプリンタに画像データが送信されることにより，その画像データによって表される画像がプリンタにおいてプリントされる。
【００３８】
図４は，送信側携帯電話１の処理手順を示すフローチャートである。
【００３９】
この処理においては，電子メールを作成したときに電子メールの本文領域に表示される文字等の画像を，一駒の画像として表す本文領域画像データが生成される。生成された画像データが電子メールを表す電子メール・ファイルとともに受信側携帯電話１Ａに送信される。受信側携帯電話１Ａにおいては，本文領域画像データを受信し，その受信した本文領域画像データをプリンタ21に送信することにより，プリンタ21から本文領域の画像をプリントできるようになる。
【００４０】
まず，送信側携帯電話１のユーザによってメニュー・ボタン７が押され，電子メール作成が選択される。すると，表示画面には，電子メールの送信先である受信側携帯電話１Ａの電子メール・アドレスを入力する領域および電子メールの本文領域が現れる。いずれかの領域が選択されると，選択された領域への入力ができるようになる。電子メール・アドレス入力領域が選択されると，その選択された電子メール・アドレス入力領域に，テン・キーパッド13を用いて入力された電子メール・アドレスが表示される。本文領域が選択されると，その選択された本文領域に，テン・キーパッド13を用いて入力された文字が表示される。この実施例においては，本文領域に画像（静止画，動画）を表示することもできる。本文領域に表示すべき画像もテン・キーパッド13によって選択される。選択された画像が本文領域に表示される。画像は，送信側携帯電話１のメモリ35に記憶されているものを用いることができるだけでなく，画像サーバなどからダウンロードして用いることもできるのはいうまでもない。いずれにしても電子メールが作成され，その電子メールを表す電子メール・ファイルが作成される（ステップ41）。送信側携帯電話１のユーザによって入力された文字がテキスト・データによって表される。このテキスト・データが電子メール・ファイルに格納される。受信側携帯電話１Ａが電子メール・ファイルを受信することにより，そのテキスト・データによって表される文字が本文領域に表示されることとなる（図２の本文領域17参照）。
【００４１】
電子メールが作成されると，その作成された電子メールの本文領域に静止画または動画が表示されるものかどうかが確認される（ステップ42）。
【００４２】
電子メールの本文領域に静止画が表示されるものであれば，その静止画を含む本文領域を画像化した本文領域画像ファイルが生成される（ステップ43）。その後，作成された電子メールを表す電子メール・ファイル（静止画ファイルおよび本文領域画像ファイルも含まれている）がメール・サーバ20に送信される（ステップ44）。
【００４３】
電子メールの本文領域に動画が表示されるものであれば（図２の本文領域17の動画19を参照），その動画を構成する静止画のうち一駒の静止画である代表画像を含む本文領域を画像化した本文領域画像ファイルが生成される（ステップ45）。代表画像は，動画の最初の一駒の静止画でもよいし，その他の駒の画像でもよい。その後，作成された電子メールを表す電子メール・ファイル（動画ファイルおよび本文領域画像ファイルも含まれている）がメール・サーバ20に送信される（ステップ46）。
【００４４】
電子メールの本文領域に静止画と動画のいずれも表示されないものであれば，本文領域に表示されるべき文字が画像によって表される画像化した本文領域画像ファイルが生成される（ステップ47）。その後，作成された電子メールを表す電子メール・ファイル（本文領域画像ファイルも含まれている）がメール・サーバ20に送信される（ステップ48）。
【００４５】
電子メール・ファイル等がメール・サーバ20に送信されると，メール・サーバ20から受信側携帯電話１Ａに電子メール・ファイルが送信されることとなる。
【００４６】
図５は，電子メール・ファイルのファイル構造（データ構造）の一例である。
【００４７】
電子メール（HTML：Hyper Text Markup Languageメール）には，HTML領域と添付ファイル領域とが含まれている。
【００４８】
HTML領域に，電子メールの本文領域に表示される内容が規定される。HTML領域における＜FONT COLOR="BLACK"＞が本文領域に表示される文字の色を規定している。＜FONT COLOR="BLACK"＞と＜FONT＞との間で挟まれた文字が本文領域に表示される文字（文章）を示している。この文字はテキスト・データによって表される。＜IMG src="cid:dog"＞は，本文領域に表示される画像を指定しており，ＩＤ（ファイル名）としてdogをもつ画像ファイルによって表される画像が本文領域に表示される。
【００４９】
添付ファイル領域に，画像ファイルが格納される。図５においては第１の添付ファイル領域と第２の添付ファイル領域との２つの添付ファイル領域が規定されている。いずれの添付ファイル領域においても，Content-typeは，添付されるファイルの種類（画像ファイル，音声ファイルなど）およびそのファイルのフォーマットを規定している。Content-transfer-encodingは，符号化方法を規定している。Content-IDは，添付ファイル領域に格納される画像ファイルのＩＤ（ファイル名）を規定している。
【００５０】
第１の添付ファイル領域には，図２の表示画面４に表示されている本文領域17に表示されている動画19を示す動画ファイル（アニメＧＩＦファイル）が格納されている。第２の添付ファイル領域には，図２の表示画面４に表示されている本文領域17を画像化した本文領域画像ファイル（文字も画像化されたもの）が格納されている。本文領域画像ファイルは，上述したように，動画の代表画像（静止画）が表示される本文領域の画像を表すものとなる。
【００５１】
図５に示すような電子メール・ファイルが受信側携帯電話１Ａにおいて受信されることにより，図２に示したように本文領域17にテキスト・データによって表される文字18と動画ファイルによって表される動画19とが表示される。また，電子メール・ファイルには本文領域画像ファイルも格納されているので，その本文領域画像ファイルがプリンタ21に送信されることにより，本文領域の画像がプリンタ21によってプリントされる。
【００５２】
上述したように，本文領域に静止画が表示される場合には，第１の添付ファイル領域にその静止画を表す画像ファイルが格納される。また，本文領域に静止画も動画も表示されない場合には，２つの添付ファイル領域は存在せずに本文領域画像ファイルを格納する１つの添付ファイル領域が存在することとなる。
【００５３】
図６は，受信側携帯電話１Ａの処理手順を示すフローチャートである。
【００５４】
上述のようにして送信側携帯電話１からメール・サーバ20に電子メール・ファイルが送信されると，メール・サーバ20から受信側携帯電話１Ａにその電子メール・ファイルが送信される。メール・サーバ20から送信された電子メール・ファイルが受信側携帯電話１Ａにおいて受信される（ステップ51）。すると，受信された電子メール・ファイルの中に，静止画ファイルまたは動画ファイルが格納されているかどうかが確認される（ステップ52）。
【００５５】
電子メール・ファイルの中に静止画ファイルが格納されていると，電子メール・ファイルのHTML領域に格納されているテキスト・データによって表される文字が本文領域に表示され，かつその静止画ファイルによって表される静止画が本文領域に表示される（ステップ53）。電子メール・ファイルの中に動画ファイルが格納されていると，電子メール・ファイルのHTML領域に格納されているテキスト・データによって表される文字が本文領域に表示され，かつその動画ファイルによって表される動画が本文領域に表示される（ステップ54）（図７参照）。電子メール・ファイルの中に静止画ファイルも動画ファイルのいずれも格納されていない場合には静止画も動画も表示されずに，電子メール・ファイルのHTML領域に格納されているテキスト・データによって表される文字が本文領域に表示される（ステップ55）。
【００５６】
受信側携帯電話１Ａにプリント指令が与えられると（ステップ56でＹＥＳ），電子メール・ファイルに格納されている本文領域画像ファイルが受信側携帯電話１Ａからプリンタ21に送信される（ステップ57）。プリンタ21において，本文領域の画像がプリントされることとなる。
【００５７】
図７は，受信側携帯電話１Ａの外観を示している。この図において，送信側携帯電話１と同一の機能をもつものについては送信側携帯電話１の符号に符号Ａを加えた符号を用いて，説明を省略する。
【００５８】
上述のように，電子メール・ファイルが受信されることにより，表示画面４Ａには，その電子メール・ファイルに格納されているテキスト・データによって表される文字18を含む本文領域17が表示される。また，電子メール・ファイルに，動画ファイルが格納されている場合には，その動画ファイルによって表される動画19も本文領域17に表示される。
【００５９】
表示画面４Ａには，プリント指示領域100も含まれている。このプリント指示領域100が表示画面４Ａに表示されている場合に，メニュー・ボタン７Ａが押されると，プリント指示領域100が選択されたこととなり，受信側携帯電話１Ａからプリンタ21に本文領域画像ファイルが送信される。これにより，上述したように，プリンタ21において本文領域17の画像がプリントされることとなる。
【００６０】
図８は，本文領域17がプリントされた用紙60の一例である。
【００６１】
用紙60には，本文領域17に表示されたものと同じ画像がプリントされている。用紙60には送信側携帯電話１のユーザによって入力された文字61およびそのユーザによって指定された動画の代表画像62も表示されている。ただし，表示された本文領域17に含まれている文字はテキスト・データによって表されるものであるのに対し，用紙60にプリントされた文字61は画像データによって表されるものである。このように，本文領域17が一駒の本文領域画像データによって表される画像が用紙60にプリントされることとなる。
【００６２】
図９から図11は，他の実施例を示すものである。
【００６３】
上述した実施例においては，本文領域の画像を文字を含めて一駒の画像として表す本文領域画像データは，送信側携帯電話１において生成されたものであるのに対し，次に示す実施例においては，本文領域画像データはメール・サーバ20において生成されるものである。
【００６４】
図９はメール・サーバ20の処理手順を示すフローチャート，図10は受信側携帯電話１Ａの処理手順を示すフローチャートである。図11は，受信側携帯電話１Ａの外観を示すもので，図７に示すものと同一物には同一符号を付して説明を省略する。
【００６５】
図９を参照して，送信側携帯電話１からメール・サーバ20には，本文領域画像ファイルが格納されていない電子メール・ファイルが送信される。そのような電子メール・ファイルがメール・サーバ20において受信される（ステップ71）。すると，その受信された電子メール・ファイルから，上述したように，本文領域画像ファイルがメール・サーバ20において生成される（ステップ72）。電子メール・ファイルのヘッダには，生成された本文領域画像ファイルの記憶場所を指定するＵＲＬ（Uniform Resource Locator）が記述されており，そのＵＲＬによって指定される記憶場所に，生成された本文領域画像ファイルが記憶される。
【００６６】
図10を参照して，メール・サーバ20から送信された電子メール・ファイルが受信側携帯電話１Ａにおいて受信されると（ステップ81），その電子メール・ファイルに静止画ファイルまたは動画ファイルが格納されているかどうかが確認される（ステップ82）。
【００６７】
電子メール・ファイルに静止画ファイルが格納されている場合には，上述したように，静止画ファイルによって表される静止画が含まれる本文領域が表示される（ステップ83）。電子メール・ファイルに動画ファイルが格納されている場合には，動画ファイルによって表される動画が含まれる本文領域が表示される（ステップ84）（図11参照）。電子メール・ファイルに静止画ファイルも動画ファイルも格納されていない場合には，送信側携帯電話１のユーザによって入力された文字が含まれている本文領域が表示される（ステップ85）。
【００６８】
図11を参照して，受信側携帯電話１Ａの表示画面４Ａには，上述のように本文領域17が表示される。図11に示す例では，テキスト・データによって表される文字18の他に動画ファイルによって表される動画19も表示されている。さらに，表示画面４Ａには，リンク要求領域101も表示されている。メニュー・ボタン７Ａが押されると，リンク要求領域101が選択されたこととなる。すると，受信側携帯電話１Ａにおいて受信した電子メール・ファイルのヘッダに格納されている本文領域画像ファイルの記憶場所を示すＵＲＬが読み取られる。読み取られたＵＲＬに記憶されている本文領域画像ファイルを受信側携帯電話１に送信する要求データが受信側携帯電話１Ａからメール・サーバ20に送信される。
【００６９】
図10を参照して，上述したようにリンク要求領域101が選択されると（ステップ86でＹＥＳ），本文領域画像ファイルの要求データがメール・サーバ20に送信される（ステップ87）。
【００７０】
図９を参照して，受信側携帯電話１Ａから送信された要求データがメール・サーバ20において受信されると（ステップ74でＹＥＳ），その要求データによって指定されるＵＲＬによって特定される記憶領域に記憶されている本文領域画像ファイルが読み取られる。読み取られた本文領域画像ファイルがメール・サーバ20から受信側携帯電話20に送信される（ステップ75）。
【００７１】
再び図10を参照して，メール・サーバ20から送信された本文領域画像ファイルが受信側携帯電話１Ａにおいて受信される（ステップ88）。すると，受信側携帯電話１Ａの表示画面４Ａには，リンク指示領域101からプリント指示領域100（図７参照）への表示に切り替わる。受信側携帯電話１Ａのユーザによってメニュー・ボタン７Ａが押されると（ステップ89でＹＥＳ），受信した本文領域画像ファイルが受信側携帯電話１からプリンタ21に送信される（ステップ90）。プリンタ21において，本文領域の画像がプリントされることとなる。
【００７２】
上述した実施例においては，静止画ファイル，動画ファイル，本文領域画像ファイルなどは電子メール・ファイルに格納されているが，電子メール・ファイルと対応づけられていれば，電子メール・ファイルに格納されなくともよい。
【図面の簡単な説明】
【００７３】
【図１】電子メール・システムの概要である。
【図２】送信側携帯電話の外観を示している。
【図３】送信側携帯電話の電気的構成を示すブロック図である。
【図４】送信側携帯電話の処理手順を示すフローチャートである。
【図５】電子メール・ファイルの内容を示している。
【図６】受信側携帯電話の処理手順を示すフローチャートである。
【図７】受信側携帯電話の外観を示している。
【図８】プリントされた本文領域を示している。
【図９】メール・サーバの処理手順を示すフローチャートである。
【図１０】受信側携帯電話の処理手順を示すフローチャートである。
【図１１】受信側携帯電話の外観を示している。
【符号の説明】
【００７４】
１  送信側携帯電話
１Ａ  送信側携帯電話
４  表示画面
17  本文領域
18  テキスト・データによって表された文字
19  動画ファイルによって表されれた動画
20  メール・サーバ
21  プリンタ
30  ＣＰＵ
31  表示装置
32  表示制御回路
37  赤外線通信回路
【図１】
2007034760.tif 000003
【図２】
2007034760.tif 000004
【図３】
2007034760.tif 000005
【図４】
2007034760.tif 000006
【図５】
2007034760.tif 000007
【図６】
2007034760.tif 000008
【図７】
2007034760.tif 000009
【図８】
2007034760.tif 000010
【図９】
2007034760.tif 000011
【図１０】
2007034760.tif 000012
【図１１】
2007034760.tif 000013